(57)【特許請求の範囲】
【請求項１】
第１の送受信手段と、前記第１の送受信手段の通信制御を行う第１の通信制御手段と、前記第１の通信制御手段と接続された第１不揮発性メモリと、を備え第１の通信方式で無線通信を行う第１通信部と、
第２の送受信手段と、前記第２の送受信手段の通信制御を行う第２の通信制御手段と、を備え第２の通信方式で無線通信を行う第２通信部と、
前記第１通信部と前記第２通信部とを制御する主制御部と、該主制御部に接続された主不揮発性メモリと、
前記第１通信部と前記主制御部を接続するとともに前記第２通信部と前記主制御部を接続する接続手段と、を備えた通信機能付き電子機器において、
前記第１不揮発性メモリには、前記第１の通信制御手段を動作させるための第１情報と、前記第２の通信制御手段を動作させるための第２情報が記憶されており、
前記主制御部は、前記第１の通信制御手段を介して前記第１不揮発性メモリから前記第２情報を取得して前記主不揮発性メモリに記憶させるとともに、
前記第２通信部の制御を行う場合には、前記主不揮発性メモリから前記第２情報を読み出して前記第２通信部へ送信することを特徴とする通信機能付き電子機器。
【請求項２】
前記主制御部は、前記主不揮発性メモリから前記第２情報を取得できない場合に前記第１の通信制御手段を介して前記第１不揮発性メモリから前記第２情報を取得して前記主不揮発性メモリに記憶させることを特徴とする請求項１に記載の通信機能付き電子機器。
【発明の詳細な説明】
【技術分野】
【０００１】
本発明は、無線通信を行う通信機能付き電子機器に関し、特に、異なる複数の通信方式による無線通信を行う通信機能付き電子機器に関する。
【背景技術】
【０００２】
従来から、ＩＳＭ（Ｉｎｄｕｓｔｒｙ  Ｓｃｉｅｎｃｅ  Ｍｅｄｉｃａｌ）バンドと呼ばれる周波数帯を用いて電子機器間を無線で接続するための通信装置が盛んに開発されている。この種の通信装置で用いられる無線通信方式としては、ＷＬＡＮあるいはＷｉＦｉ等と称されるＩＥＥＥ８０２．１１ｂ／ｇ／ｎや、ブルートゥース（Ｂｌｕｅｔｏｏｔｈ(登録商標)）などが知られている。
【０００３】
近年、これらの異なる複数の通信方式による無線通信を行うことができる通信装置を搭載したフォトプリンタやカーナビゲーション、スマートフォン等の通信機能付き電子機器が広く普及している。
【０００４】
特許文献１に記載の通信機能付き電子機器（端末）９００では、図４に示すように、ＷＬＡＮとの通信をサポートするＷＬＡＮモジュール９１０、およびブルートゥース装置との通信をサポートするブルートゥースモジュール９２０を備えている。
【０００５】
ＷＬＡＮモジュール９１０はメモリ９１４を有しており、メモリ９１４には、ＷＬＡＮモジュール９１０のためのデータやプログラムコードが格納されている。また、ブルートゥースモジュール９２０はメモリ９２４を有しており、メモリ９２４にはブルートゥースモジュール９２０のためのデータが格納されている。
【０００６】
このように、ＷＬＡＮモジュール９１０およびブルートゥースモジュール９２０のそれぞれに専用メモリを設けて通信機能付き電子機器９００を構成する技術が開示されている。このような構成では、ＷＬＡＮモジュールとブルートゥースモジュールそれぞれにメモリを設ける必要があるので小型化に適さず、またコストアップになってしまう。
【０００７】
このような問題を回避するため、例えばＷＬＡＮモジュールにのみメモリを設け、ブルートゥースモジュールのためのデータもＷＬＡＮモジュールに設けたメモリに記憶させておくことが考えられる。
【０００８】
この場合、ブルートゥースモジュールを動作させる際には、一旦ＷＬＡＮモジュールを動作させ、ブルートゥースモジュールのためのデータ読み出してからブルートゥースモジュールを動作させることとなる。
【０００９】
このように、一方の通信モジュール（通信部）にメモリを設けることで、通信機能付き電子機器の大型化やコストの上昇を回避することが行われている。
【先行技術文献】
【特許文献】
【００１０】
【特許文献１】特表２０１０‐５３２９５４号公報
【発明の概要】
【発明が解決しようとする課題】
【００１１】
しかしながら、上述した通信機能付き電子機器では、動作のために必要なデータを記憶するメモリを備えていない通信部を動作させるためには、メモリを備えた通信部を起動させる必要がある。このためメモリを備えていない通信部を使用して通信を行う場合には通信を開始するまでに時間が掛ってしまう。また、メモリを有する通信部の動作に不具合が生じた場合には、メモリを備えていない通信部も動作させられなくなり信頼性が低くなってしまうという課題があった。
【００１２】
本発明は、上述した課題を解決するもので、それぞれの通信部ごとに不揮発性メモリを設けることなくコストダウンを図るとともに、通信開始までの時間を短縮することができ、信頼性の高い通信機能付き電子機器を提供することを目的とする。
【課題を解決するための手段】
【００１３】
この課題を解決するために、本発明の通信機能付き電子機器は、第１の送受信手段と、前記第１の送受信手段の通信制御を行う第１の通信制御手段と、前記第１の通信制御手段と接続された第１不揮発性メモリと、を備え第１の通信方式で無線通信を行う第１通信部と、第２の送受信手段と、前記第２の送受信手段の通信制御を行う第２の通信制御手段と、を備え第２の通信方式で無線通信を行う第２通信部と、前記第１通信部と前記第２通信部とを制御する主制御部と、該主制御部に接続された主不揮発性メモリと、前記第１通信部と前記主制御部を接続するとともに前記第２通信部と前記主制御部を接続する接続手段と、を備え、前記第１不揮発性メモリには、前記第１の通信制御手段を動作させるための第１情報と、前記第２の通信制御手段を動作させるための第２情報が記憶されており、前記主制御部は、前記第１の通信制御手段を介して前記第１不揮発性メモリから前記第２情報を取得して前記主不揮発性メモリに記憶させるとともに、前記第２通信部の制御を行う場合には、前記主不揮発性メモリから前記第２情報を読み出して前記第２通信部へ送信することを特徴とする。
【００１４】
これによれば、主制御部は第１の通信制御手段を介して第１不揮発性メモリから第２情報を取得して主不揮発性メモリに記憶する。このため、その後に第１通信部に不具合が生じても、第２の通信制御手段は、主不揮発性メモリに記憶した第２情報に基づいて第２通信部の制御することができるので、信頼性の高い通信機能付き電子機器を提供することができる。第１不揮発性メモリには、第１の通信制御手段を動作させるための第１情報が記憶されているので、第１の通信制御手段は、第１不揮発性メモリに記憶されている第１情報に基づいて第１の送受信手段の制御を行うことができる。また、第２の通信制御手段は、主不揮発性メモリに記憶した第２情報に基づいて第２の送受信手段の制御を行うことができる。第２通信部で通信を行う場合に、主制御部を介して第１の通信手段から第２情報を取得する必要がないので、通信の開始までの時間を短縮することができる。従って、それぞれの通信部ごとに不揮発性メモリを設けることなくコストダウンを図るとともに、通信の開始までの時間を短縮することができ、信頼性の高い通信機能付き電子機器を提供することができる。
【００１５】
また、本発明の通信機能付き電子機器は、前記主制御部は、前記主不揮発性メモリから前記第２情報を取得できない場合に前記第１の通信制御手段を介して前記第１不揮発性メモリから前記第２情報を取得して前記主不揮発性メモリに記憶させることを特徴とする。
【００１６】
これによれば、主制御部が、主不揮発性メモリから第２情報を取得できない場合、例えば、第２情報が記憶されていない場合や、データ破損があった場合に、第１の通信制御手段を介して第１不揮発性メモリから第２情報を取得して主不揮発性メモリに記憶させるので、特別な操作を行うことなく自動的に第２情報を主不揮発性メモリに記憶させることができる。
【発明の効果】
【００１７】
本発明によれば、それぞれの通信部ごとに不揮発性メモリを設けることなくコストダウンを図るとともに、通信開始までの時間を短縮することができ、信頼性の高い通信機能付き電子機器を提供することができる。
【図面の簡単な説明】
【００１８】
【図１】本発明の実施形態に係る通信機能付き電子機器の構成を示すブロック図である。
【図２】第１の不揮発性メモリ及び主不揮発性メモリの記憶領域および記憶情報を説明する模式図である。
【図３】通信機能付き電子機器の動作を示すフローチャートである。
【図４】従来技術の端末（通信機能付き電子機器）の構成を示すブロック図である。
【発明を実施するための形態】
【００１９】
［第１実施形態］
以下に第１実施形態における通信機能付き電子機器１００について説明する。
【００２０】
まず始めに本実施形態における通信機能付き電子機器１００の構成について図１および図２を用いて説明する。図１は通信機能付き電子機器１００の構成を示すブロック図である。図２は第１不揮発性メモリ１３および主不揮発性メモリ４０の記憶領域および記憶情報を説明する模式図である。図２（ａ）は第１不揮発性メモリ１３の記憶領域および記憶情報を説明する模式図であり、図２（ｂ）は主不揮発性メモリ４０の記憶領域および記憶情報を説明する模式図である。
【００２１】
通信機能付き電子機器１００は図１に示すように、第１通信部１０と、第２通信部２０と、主制御部３０と、主不揮発性メモリ４０と、接続手段５０と、を備えている。
【００２２】
第１通信部１０は図１に示すように、第１の送受信手段１１と、第１の通信制御手段１２と、第１不揮発性メモリ１３と、を備えており、第１の通信方式で無線通信を行うことができる。第１通信部１０に備えられた第１の通信制御手段１２は、第１の送受信手段１１と第１不揮発性メモリ１３とに接続されるとともに、接続手段５０を介して主制御部３０と接続されている。なお、本実施形態では第１の通信方式はＷＬＡＮであるものとする。
【００２３】
第２通信部２０は図１に示すように、第２の送受信手段２１と、第２の通信制御手段２２と、を備えており、第２の通信方式で無線通信を行うことができる。第２通信部２０に備えられた第２の通信制御手段２２は、第２の送受信手段２１に接続されるとともに、接続手段５０を介して主制御部３０と接続されている。なお、本実施形態では第２の通信方式はブルートゥースであるものとする。
【００２４】
第１の送受信手段１１は、第１の通信制御手段１２によって制御され、第１の通信方式で無線通信を行うため無線信号の送受信を行う。
【００２５】
第１不揮発性メモリ１３はＥＥＰＲＯＭやフラッシュメモリ等が用いられており、図２（ａ）に示すように、第１情報領域１３ａと第２情報領域１３ｂとが設けられている。第１情報領域１３ａには、第１の通信制御手段１２を動作させるための第１情報Ｄ１が、また第２情報領域１３ｂには第２の通信制御手段２２を動作させるための第２情報Ｄ２が予め記憶されている。
【００２６】
第１情報Ｄ１には、第１通信部１０が第１の通信制御方式で通信を行うために必要なアドレス情報（ＭＡＣアドレス）や、第１の通信制御手段１２が第１の送受信手段１１を制御して送信出力を既定の値に設定するための設定値の情報等が含まれている。また、第２情報Ｄ２には、第２通信部２０が第２の通信制御方式で通信を行うために必要なアドレス情報（ＢＤアドレス）や、第２の通信制御手段２２が第２の送受信手段２１を制御して送信出力を既定の値に設定するための設定値の情報等が含まれている。
【００２７】
第２の送受信手段２１は、第２の通信制御手段２２によって制御され、第２の通信方式で無線通信を行うため無線信号の送受信を行う。
【００２８】
なお、第１通信部１０と第２通信部２０とは一体的に形成されて、第１の通信方式と第２の通信方式とで無線通信を行う複合モジュールとして構成されても良く、それぞれの通信方式で無線通信を行う個別のモジュールとして構成されても良い。
【００２９】
主制御部３０は図１に示すように、接続手段５０を介して第１通信部１０と第２通信部２０に接続されている。また、主制御部３０には主不揮発性メモリ４０が接続されており、主不揮発性メモリ４０に予め書き込まれた制御プログラムに基づいて第１通信部１０と第２通信部２０とを制御する。
【００３０】
主不揮発性メモリ４０は、ＥＥＰＲＯＭやフラッシュメモリ等が用いられ、図２（ｂ）に示すように、主制御部３０が動作するための制御プログラムが記憶されているプログラム領域４０ａと、第２通信部２０に備えられた第２の通信制御手段２２を動作させるための第２情報Ｄ２を記憶するための第２情報記憶領域４０ｂが予め設定されている。なお初期状態では第２情報記憶領域４０ｂには何も情報が記憶されていない状態とする。
【００３１】
接続手段５０は、第１通信部１０および第２通信部２０と、主制御部３０とを接続するもので、第１通信部１０および第２通信部２０と、主制御部３０が実装される不図示の基板とにコネクタとして設けられても良い。また、第１通信部１０および第２通信部２０と、主制御部３０とを接続する接続端子とはんだ付けパターンとを兼ねた配線パターンによって構成されても良い。
【００３２】
次に、通信機能付き電子機器１００の動作について、図３を用いて説明する。図３は通信機能付き電子機器１００の動作を示すフローチャートである。図３のフローチャートで示された処理手順は制御プログラムとして主不揮発性メモリ４０のプログラム領域４０ａに書き込まれており、第２通信部２０を制御して第２の通信方式で通信が開始される場合に主制御部３０によって実行される。
【００３３】
第１通信部１０を制御して第１の通信方式で通信を開始する場合、主制御部３０は第１の通信制御手段１２を制御して第１不揮発性メモリ１３から第１情報Ｄ１を取得し、第１の送受信手段１１の通信制御を行うことで、第１通信部１０が第１の通信方式で無線通信を行う。
【００３４】
第２通信部２０を制御して第２の通信方式で通信を開始する場合、図３に示す手順Ｓ１で主制御部３０は、主不揮発性メモリ４０の第２情報記憶領域４０ｂのデータを読み出し、手順Ｓ２へ移行する。
【００３５】
手順Ｓ２で主制御部３０は、読み出したデータから、主不揮発性メモリ４０の第２情報記憶領域４０ｂに第２情報Ｄ２が記憶されているか否かを判断し、第２情報Ｄ２が記憶されていると判断した場合には手順Ｓ３へ移行する。また、第２情報Ｄ２が記憶されていないと判断した場合には手順Ｓ６へ移行する。初期状態では第２情報記憶領域４０ｂには何も情報が記憶されていない状態のため、最初に図３に示すフローチャートの処理手順が実行された場合には、手順Ｓ６に移行することとなる。
【００３６】
手順Ｓ６で主制御部３０は、第１の通信制御手段１２を制御し第１通信部１０を起動して手順Ｓ７へ移行する。
【００３７】
手順Ｓ７で主制御部３０は、第１の通信制御手段１２を介して第１不揮発性メモリ１３から第２情報Ｄ２を読み出し、手順Ｓ８へ移行する。
【００３８】
手順Ｓ８では、第１不揮発性メモリ１３から読み出しエラー等がなく第２情報Ｄ２が正しく取得できたか否かを判断し、正しく読み出すことができたと判断した場合には手順Ｓ９へ移行し、正しく読み出せなかった場合には手順Ｓ１０へ移行する。
【００３９】
手順Ｓ１０では、第１の通信制御手段１２または第１不揮発性メモリ１３が正しく動作していないことを示す報知手段（画像，音声等）による使用者への報知等のエラー処理を実行して制御動作を終了する。このように、第１通信部１０の第１不揮発性メモリ１３から第２情報Ｄ２が読み出せない場合に使用者への報知等のエラー処理を行うことで、第１の通信制御手段１２または第１不揮発性メモリ１３が正しく動作していないことを使用者に知らせることができる。
【００４０】
手順Ｓ９では、手順Ｓ８で第２情報Ｄ２が第１不揮発性メモリ１３から読み出しエラー等がなく正しく読み出せたと判断されたので、主制御部３０は取得した第２情報Ｄ２を主不揮発性メモリ４０に記憶させ、手順Ｓ３へ移行する。
【００４１】
手順Ｓ３に移行してくるのは、手順Ｓ２で主不揮発性メモリ４０の第２情報記憶領域４０ｂに第２情報Ｄ２が記憶されていると判断された場合と、手順Ｓ９で第１不揮発性メモリ１３から取得した第２情報Ｄ２を主不揮発性メモリ４０に記憶させた場合である。手順Ｓ３で主制御部３０は、第２の通信制御手段２２を制御し第２通信部２０を起動して手順Ｓ４へ移行する。
【００４２】
手順Ｓ４で主制御部３０は、第２の通信制御手段２２に対し第２情報Ｄ２を送信し、手順Ｓ５へ移行する。
【００４３】
手順Ｓ５では、手順Ｓ４で送られた第２情報Ｄ２に基づいて第２の通信制御手段２２が第２の送受信手段２１を制御することができるので、主制御部３０は第２通信部２０を制御して第２の通信方式での通信を開始して処理動作を終了する。
【００４４】
第２情報記憶領域４０ｂに何も情報が記憶されていない初期状態から動作を開始した場合には、手順Ｓ１、手順Ｓ２、手順Ｓ６、手順Ｓ７、手順Ｓ８、手順Ｓ９、手順Ｓ３、手順Ｓ４、手順Ｓ５の順で処理動作が行われる。
【００４５】
一旦、主不揮発性メモリ４０に第２情報Ｄ２が記憶されると、手順Ｓ１、手順Ｓ２、手順Ｓ３、手順Ｓ４、手順Ｓ５の順で処理動作が行われることになる。従って、第２通信部２０の制御を行う場合には、主制御部３０は主不揮発性メモリ４０から第２情報Ｄ２を読み出して第２通信部２０の第２の通信制御手段２２へ送信する。主制御部３０を介して第１通信部１０から第２情報Ｄ２を取得する必要がなく、手順Ｓ６から手順Ｓ８までの手順を行わないため、第２通信部２０で通信を行う場合の通信の開始までの時間を短縮することができる。
【００４６】
第２の通信制御手段２２は、主制御部３０の制御に基づいて主不揮発性メモリ４０のから第２情報Ｄ２を取得し、第２の送受信手段２１の通信制御を行うことで、第２通信部２０が第２の通信方式で無線通信を行う。
【００４７】
以下、本実施形態としたことによる効果について説明する。
【００４８】
本実施形態の通信機能付き電子機器１００では、第１の送受信手段１１と、第１の通信制御手段１２と、第１不揮発性メモリ１３と、を備え第１の通信方式で無線通信を行う第１通信部１０と、第２の送受信手段２１と、第２の通信制御手段２２と、を備え第２の通信方式で無線通信を行う第２通信部２０と、主制御部３０と、主不揮発性メモリ４０と、接続手段５０と、を備え、第１不揮発性メモリ１３には、第１の通信制御手段１２を動作させるための第１情報Ｄ１と、第２の通信制御手段２２を動作させるための第２情報Ｄ２が記憶されており、主制御部３０は、第１の通信制御手段１２を介して第１不揮発性メモリ１３から第２情報Ｄ２を取得して主不揮発性メモリ４０に記憶させるとともに、第２通信部２０の制御を行う場合には、主不揮発性メモリ４０から第２情報Ｄ２を読み出して第２通信部２０へ送信するように構成した。
【００４９】
これにより、主制御部３０は第１の通信制御手段１２を介して第１不揮発性メモリ１３から第２情報Ｄ２を取得して主不揮発性メモリ４０に記憶する。このため、その後に第１通信部１０に不具合が生じても、第２の通信制御手段２２は、主不揮発性メモリ４０に記憶した第２情報Ｄ２に基づいて第２通信部２０の制御することができるので、信頼性の高い通信機能付き電子機器を提供することができる。第１不揮発性メモリ１３には、第１の通信制御手段１２を動作させるための第１情報Ｄ１が記憶されているので、第１の通信制御手段１２は、第１不揮発性メモリ１３に記憶されている第１情報Ｄ１に基づいて第１の送受信手段１１の制御を行うことができる。また、第２の通信制御手段２２は、主不揮発性メモリ４０に記憶した第２情報Ｄ２に基づいて第２の送受信手段２１の制御を行うことができる。第２通信部２０で通信を行う場合に、主制御部３０を介して第１通信部１０から第２情報Ｄ２を取得する必要がないので、通信の開始までの時間を短縮することができる。従って、それぞれの通信部ごとに不揮発性メモリを設けることなくコストダウンを図るとともに、通信の開始までの時間を短縮することができ、信頼性の高い通信機能付き電子機器を提供することができる。
【００５０】
また、本実施形態の通信機能付き電子機器１００では、主制御部３０は、主不揮発性メモリ４０に第２情報Ｄ２が記憶されていない場合に第１の通信制御手段１２を介して第１不揮発性メモリ１３から第２情報Ｄ２を取得して主不揮発性メモリ４０に記憶させるように構成した。
【００５１】
これにより、主制御部３０が、主不揮発性メモリ４０に第２情報Ｄ２が記憶されていない場合に第１の通信制御手段１２を介して第１不揮発性メモリ１３から第２情報Ｄ２を取得して主不揮発性メモリ４０に記憶させるので、特別な操作を行うことなく自動的に第２情報Ｄ２を主不揮発性メモリ４０に記憶させることができる。
【００５２】
以上のように、本発明の実施形態に係る通信機能付き電子機器１００を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５３】
（１）本実施形態において、第１の通信方式はＷＬＡＮであり、第２の通信方式はブルートゥースである例を示して説明を行ったが、第１の通信方式がブルートゥースで、第２の通信方式がＷＬＡＮであっても良い。また、第１の通信方式または第２の通信方式にＷＬＡＮとブルートゥース以外の通信方式を用いるように変形して実施しても良い。
【００５４】
（２）本実施形態において、第２情報Ｄ２が第１不揮発性メモリ１３から正しく読み出せなかった場合にはすぐにエラー処理手をする例を示して説明を行ったが、正しく読み出せなかった場合に複数回の読み出しを行う、リトライ処理をするように変形しても良い。
【００５５】
（３）本実施形態において、主不揮発性メモリ４０の第２情報記憶領域４０ｂに第２情報Ｄ２が記憶されているか否かを判断し、第２情報Ｄ２が記憶されていないと判断した場合に第１不揮発性メモリ１３から第２情報Ｄ２を読み出すようにしたが、これに限らず、主不揮発性メモリ４０においてデータ破損、故障、読み出しエラーがあった場合に第１不揮発性メモリ１３から第２情報Ｄ２を読み出すようにしてもよい。
【符号の説明】
【００５６】
１０    第１通信部
１１    第１の送受信手段
１２    第１の通信制御手段
１３    第１不揮発性メモリ
１３ａ  第１情報領域
１３ｂ  第２情報領域
２０    第２通信部
２１    第２の送受信手段
２２    第２の通信制御手段
３０    主制御部
４０    主不揮発性メモリ
４０ａ  プログラム領域
４０ｂ  第２情報記憶領域
５０    接続手段
１００  電子機器
Ｄ１    第１情報
Ｄ２    第２情報
【図１】
0006269957.tif 000002
【図２】
0006269957.tif 000003
【図３】
0006269957.tif 000004
【図４】
0006269957.tif 000005